【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
受信信号における位相エラーを補正する判定指向位相ロックループであって、
入力記号のブロックをストアするように構成される第１のバッファであって、前記入力記号のブロックが、第１のパイロット記号で始まり、最後のパイロット記号で終わる、前記第１のバッファと、
位相ノイズ補償を記号毎に前記入力記号のブロックに適用するように構成される位相回転器と、
前記位相回転器に結合されるフィードバックループであって、位相ノイズ補償信号を前記位相回転器に提供する、前記フィードバックループと、
前記位相回転器から出力される位相ノイズ補償された記号の第１のブロックをストアするように構成される第１の出力バッファであって、前記位相ノイズ補償された記号の第１のブロックにおける記号が、前記第１のパイロット記号で始まって前記位相回転器から順次に受信される、前記第１の出力バッファと、
前記位相回転器から出力される位相ノイズ補償された記号の第２のブロックをストアするように構成される第２の出力バッファであって、前記位相ノイズ補償された記号の第２のブロックにおける記号が、前記最後のパイロット記号で始まって前記位相回転器から順次に受信される、前記第２の出力バッファと、
出力記号をつくるために、前記位相ノイズ補償された記号の第１及び第２のブロックからの関連する記号を組み合わせるように構成されるコンバイナと、
を含み、
前記位相ノイズ補償された記号の第１及び第２のブロックからの前記関連する記号が、
対数尤度比（ＬＬＲ）メトリックを用いる、重み付された記号毎の組み合わせと、
最小平均二乗誤差（ＭＭＳＥ）エラーメトリックを用いる、重み付された記号毎の組み合わせと、
で構成されるグループから選択されるプロセスを用いて組み合わされる、判定指向位相ロックループ。
【請求項２】
判定指向位相ロックループであって、
入力記号のブロックをストアするように構成される第１のバッファであって、前記入力記号のブロックが、第１のパイロット記号で始まり、最後のパイロット記号で終わり、前記入力記号のブロックが、前記第１のパイロット記号と前記最後のパイロット記号との間に未知のデータ記号と付加的なパイロット記号とを含む、前記第１のバッファと、
位相ノイズ補償を記号毎に前記入力記号のブロックに適用するように構成される位相回転器と、
前記位相回転器に結合されるフィードバックループであって、位相ノイズ補償信号を前記位相回転器に提供し、前記位相回転器に提供される前記位相ノイズ補償信号が、
入力記号のブロック全体にわたる位相ノイズエラー検出と、
前記入力記号のブロックにおけるＮ番目毎のパイロット記号を用いる位相ノイズエラー検出と、
のグループから選択されるプロセスを用いて生成される、前記フィードバックループと、
前記位相回転器から出力される位相ノイズ補償された記号の第１のブロックをストアするように構成される第１の出力バッファであって、前記位相ノイズ補償された記号の第１のブロックにおける記号が、前記第１のパイロット記号で始まって前記位相回転器から順次に受信される、前記第１の出力バッファと、
前記位相回転器から出力される位相ノイズ補償された記号の第２のブロックをストアするように構成される第２の出力バッファであって、前記位相ノイズ補償された記号の第２のブロックにおける記号が、前記最後のパイロット記号で始まって前記位相回転器から順次に受信される、前記第２の出力バッファと、
出力記号をつくるために、前記位相ノイズ補償された記号の第１及び第２のブロックからの関連する記号を組み合わせるように構成されるコンバイナと、
を含む、判定指向位相ロックループ。
【請求項３】
判定指向位相ロックループであって、
入力記号のブロックをストアするように構成される第１のバッファであって、前記入力記号のブロックが、第１のパイロット記号で始まり、最後のパイロット記号で終わる、前記第１のバッファと、
位相ノイズ補償を記号毎に前記入力記号のブロックに適用するように構成される位相回転器であって、前の入力記号のブロックに適用された位相ノイズエラー補償に基づいて前記入力記号のブロックからの最初に受信されたパイロット記号に対して初期位相ノイズエラー補償を適用するように構成される、前記位相回転器と、
前記位相回転器に結合されるフィードバックループであって、位相ノイズ補償信号を前記位相回転器に提供する、前記フィードバックループと、
前記位相回転器から出力される位相ノイズ補償された記号の第１のブロックをストアするように構成される第１の出力バッファであって、前記位相ノイズ補償された記号の第１のブロックにおける記号が、前記第１のパイロット記号で始まって前記位相回転器から順次に受信される、前記第１の出力バッファと、
前記位相回転器から出力される位相ノイズ補償された記号の第２のブロックをストアするように構成される第２の出力バッファであって、前記位相ノイズ補償された記号の第２のブロックにおける記号が、前記最後のパイロット記号で始まって前記位相回転器から順次に受信される、前記第２の出力バッファと、
出力記号をつくるために、前記位相ノイズ補償された記号の第１及び第２のブロックからの関連する記号を組み合わせるように構成されるコンバイナと、
を含む、判定指向位相ロックループ。
【請求項４】
請求項３に記載の判定指向位相ロックループであって、
前記入力記号のブロックからの最初に受信されたバイロット記号の前記初期位相ノイズエラー補償が、前の入力記号のブロックにおける最後の記号に適用された位相ノイズエラー補償に基づく、判定指向位相ロックループ。
【請求項５】
判定指向位相ロックループであって、
入力記号のブロックをストアするように構成される第１のバッファであって、前記入力記号のブロックが、第１のパイロット記号で始まり、最後のパイロット記号で終わる、前記第１のバッファと、
位相ノイズ補償を記号毎に前記入力記号のブロックに適用するように構成される位相回転器と、
前記位相回転器に結合されて位相ノイズ補償信号を前記位相回転器に提供するフィードバックループであって、前記位相回転器からの出力を受信して各受信された記号に対して変調コンステレーションにおける最も近いポイントを判定する硬判定モジュールと、前記位相回転器からの第１の入力と前記硬判定モジュールからの第２の入力とを受信する位相推定器であって、前記硬判定モジュールからの入力の位置におけるデコードされた出力記号を用いるように構成される、前記位相推定器とを含む、前記フィードバックループと、
前記位相回転器から出力される位相ノイズ補償された記号の第１のブロックをストアするように構成される第１の出力バッファであって、前記位相ノイズ補償された記号の第１のブロックにおける記号が、前記第１のパイロット記号で始まって前記位相回転器から順次に受信される、前記第１の出力バッファと、
前記位相回転器から出力される位相ノイズ補償された記号の第２のブロックをストアするように構成される第２の出力バッファであって、前記位相ノイズ補償された記号の第２のブロックにおける記号が、前記最後のパイロット記号で始まって前記位相回転器から順次に受信される、前記第２の出力バッファと、
出力記号をつくるために、前記位相ノイズ補償された記号の第１及び第２のブロックからの関連する記号を組み合わせるように構成されるコンバイナと、
前記コンバイナの出力に結合され、前記出力記号をデコードするように構成されるフォワード誤り補正（ＦＥＣ）デコーダであって、前記ＦＥＣデコーダの出力が前記位相推定器に結合される、前記前記ＦＥＣデコーダと、
を含む、判定指向位相ロックループ。
【請求項６】
受信信号における位相エラーを補正するための方法であって、
第１のパイロット記号で始まり、最後のパイロット記号で終わる、入力記号のブロックを受信することと、
前記第１のパイロット記号で始まるフォワード方向において前記入力記号のブロックに位相ノイズ補償を適用することと、
位相ノイズ補償された記号の第１のブロックを第１の出力バッファにストアすることであって、前記位相ノイズ補償された記号の第１のブロックが前記フォワード方向の入力記号のブロックに対応する、前記第１の出力バッファにストアすることと、
前記最後のパイロット記号で始まるバックワード方向において前記入力記号のブロックに位相ノイズ補償を適用することと、
位相ノイズ補償された記号の第２のブロックを第２の出力バッファにストアすることであって、前記位相ノイズ補償された記号の第２のブロックが前記バックワード方向の入力記号のブロックに対応する、前記第２の出力バッファにストアすることと、
前記位相ノイズ補償された記号の第１及び第２のブロックからの関連する記号を組み合わせることであって、
対数尤度比（ＬＬＲ）メトリックを用いる、重み付された記号毎の組み合わせと、
最小平均二乗誤差（ＭＭＳＥ）エラーメトリックを用いる、重み付された記号毎の組み合わせと、
で構成されるグループから選択されるプロセスを用いて出力記号をつくる、前記組み合わせることと、
を含む、方法。
【請求項７】
受信信号における位相エラーを補正するための方法であって、
第１のパイロット記号で始まり、最後のパイロット記号で終わる、入力記号のブロックを受信することであって、前記入力記号のブロックが、前記第１のパイロット記号と前記最後のパイロット記号との間に未知のデータ記号と付加的なパイロット記号とを含む、前記受信することと、
前記第１のパイロット記号で始まるフォワード方向において前記入力記号のブロックに位相ノイズ補償を適用することと、
前記位相ノイズ補償を生成することであって、
入力記号のブロック全体にわたる位相ノイズエラー検出と、
前記入力記号のブロックにおけるＮ番目毎のパイロット記号を用いる位相ノイズエラー検出と、
のグループから選択されるプロセスを用いる、前記位相ノイズ補償を生成することと、
位相ノイズ補償された記号の第１のブロックを第１の出力バッファにストアすることであって、前記位相ノイズ補償された記号の第１のブロックが前記フォワード方向の入力記号のブロックに対応する、前記第１の出力バッファにストアすることと、
前記最後のパイロット記号で始まるバックワード方向において前記入力記号のブロックに位相ノイズ補償を適用することと、
位相ノイズ補償された記号の第２のブロックを第２の出力バッファにストアすることであって、前記位相ノイズ補償された記号の第２のブロックが前記バックワード方向の入力記号のブロックに対応する、前記第２の出力バッファにストアすることと、
出力記号をつくるために、前記位相ノイズ補償された記号の第１及び第２のブロックからの関連する記号を組み合わせることと、
を含む、方法。
【請求項８】
受信信号における位相エラーを補正するための方法であって、
第１のパイロット記号で始まり、最後のパイロット記号で終わる、入力記号のブロックを受信することと、
前記第１のパイロット記号で始まるフォワード方向において前記入力記号のブロックに位相ノイズ補償を適用することであって、前記入力記号のブロックからの最初に受信されたパイロット記号の初期位相ノイズエラー補償が、前の入力記号のブロックに適用された位相ノイズエラー補償に基づく、前記位相ノイズ補償を適用することと、
位相ノイズ補償された記号の第１のブロックを第１の出力バッファにストアすることであって、前記位相ノイズ補償された記号の第１のブロックが前記フォワード方向の入力記号のブロックに対応する、前記第１の出力バッファにストアすることと、
前記最後のパイロット記号で始まるバックワード方向において前記入力記号のブロックに位相ノイズ補償を適用することと、
位相ノイズ補償された記号の第２のブロックを第２の出力バッファにストアすることであって、前記位相ノイズ補償された記号の第２のブロックが前記バックワード方向の入力記号のブロックに対応する、前記第２の出力バッファにストアすることと、
出力記号をつくるために、前記位相ノイズ補償された記号の第１及び第２のブロックからの関連する記号を組み合わせることと、
を含む、方法。
【請求項９】
請求項８に記載の方法であって、
前記入力記号のブロックからの前記最初に受信されたパイロット記号の初期位相ノイズエラー補償が、前の入力記号のブロックにおける最後の記号に適用された位相ノイズエラー補償に基づく、方法。
【請求項１０】
受信信号における位相エラーを補正するための方法であって、
第１のパイロット記号で始まり、最後のパイロット記号で終わる、入力記号のブロックを受信することと、
前記第１のパイロット記号で始まるフォワード方向において前記入力記号のブロックに位相ノイズ補償を適用することと、
位相ノイズ補償された記号の第１のブロックを第１の出力バッファにストアすることであって、前記位相ノイズ補償された記号の第１のブロックが前記フォワード方向の入力記号のブロックに対応する、前記第１の出力バッファにストアすることと、
前記最後のパイロット記号で始まるバックワード方向において前記入力記号のブロックに位相ノイズ補償を適用することと、
位相ノイズ補償された記号の第２のブロックを第２の出力バッファにストアすることであって、前記位相ノイズ補償された記号の第２のブロックが前記バックワード方向の入力記号のブロックに対応する、前記第２の出力バッファにストアすることと、
出力記号をつくるために、前記位相ノイズ補償された記号の第１及び第２のブロックからの関連する記号を組み合わせることと、
前記出力記号をフォワード誤り補正（ＦＥＣ）デコーダに提供することと、
１つ又は複数の付加的な反復の間に、フォワード方向とバックワード方向とにおいて前記入力記号のブロックに位相ノイズ補償を適用するために、前記ＦＥＣデコーダからのデコードされた記号を用いることと、
を含む、方法。